(57)【要約】    【課題】  保冷又は保温機能付きカップホルダ装置において、簡素な機構でその機能を有効又は無効にできるようにする。    【解決手段】  車両内装部材１０の表面に陥凹形成された略円形断面を有する陥凹部１２に、飲料容器１４の少なくとも下部を取り囲んで保持するホルダ１６を回転可能に嵌合すると共に、陥凹部１２の内周壁に、エアコンディショナからの冷風又は温風を導入する導入口１８が形成されたカップホルダ装置において、ホルダ１６の周壁の一部に、導入口１８と連通してエアコンディショナからの冷風又は温風を通過させる開口２０を形成する。そして、つまみ２４を把持してホルダ１６を回転させ、導入口１８と開口２０とを連通させると、保冷又は保温機能を有効にすることができる。一方、つまみ２４を把持してホルダ１６を回転させ、導入口１８をホルダ１６の周壁で塞ぐようにすれば、保冷又は保温機能を無効にすることができる。【選択図】  図１
2006176038.tif 000002
【特許請求の範囲】
【請求項１】
車両内装部材の表面に陥凹形成された略円形断面を有する陥凹部に、飲料容器の少なくとも下部を取り囲んで保持するホルダを回転可能に嵌合すると共に、前記陥凹部の内周壁に、エアコンディショナからの冷風又は温風を導入する導入口が形成されたカップホルダ装置であって、
前記ホルダの周壁の一部に、前記導入口と連通してエアコンディショナからの冷風又は温風を通過させる開口を形成したことを特徴とするカップホルダ装置。
【請求項２】
前記ホルダは、前記陥凹部に対して着脱可能に嵌合されることを特徴とする請求項１記載のカップホルダ装置。
【請求項３】
前記ホルダの上端には、該ホルダを回転させるためのつまみが取り付けれらたことを特徴とする請求項１又は請求項２に記載のカップホルダ装置。
【請求項４】
前記車両内装部材の表面には、前記ホルダの開口が導入口に連通した位置でつまみと接触し、その回転を阻止する突起が形成されたことを特徴とする請求項３記載のカップホルダ装置。
【請求項５】
前記車両内装部材は、インストルメントパネルであることを特徴とする請求項１〜請求項４のいずれか１つに記載のカップホルダ装置。
【発明の詳細な説明】
【技術分野】
【０００１】
本発明は、保冷又は保温機能付きカップホルダ装置において、簡素な機構でその機能を有効又は無効にする技術に関する。
【背景技術】
【０００２】
近年、車両における快適性を向上させる装備として、「Ｘ−ＴＲＡＩＬ  Ｔ30型系車  新型車解説書（追補版II）」（非特許文献１）に記載されるように、保冷又は保温機能付きカップホルダ装置が実用化されている。カップホルダ装置は、サイドベンチレータグリル上部に飲料容器が収容保持されるホルダを陥凹形成し、ここにエアコンディショナの冷風又は温風を導くことで、飲料を飲み頃の温度に保つものである。また、カップホルダ装置には、飲料を保冷又は保温したくないときに、エアコンディショナの冷風又は温風を遮断すべく、冷風又は温風の導入口を開閉する手動式シャッタが取り付けられている。
【非特許文献１】「Ｘ−ＴＲＡＩＬ  Ｔ30型系車  新型車解説書（追補版II）」，日産自動車株式会社，平成１５年６月，ｐ．Ｄ−９，Ｅ−４
【発明の開示】
【発明が解決しようとする課題】
【０００３】
しかしながら、カップホルダ装置にシャッタを取り付けると、部品点数が増加するだけではなく、シャッタの取付スペースを確保する必要上、その外形寸法が大型化してしまうおそれがあった。外径寸法の大型化は、車載レイアウトなどに困難が伴い、設計工数増加の要因にもなっていた。
そこで、本発明は以上のような従来の問題点に鑑み、飲料容器を保持するホルダ自体で冷風又は温風の導入口を開閉することで、簡素な機構で保冷又は保温機能を有効又は無効にすることができるカップホルダ装置を提供することを目的とする。
【課題を解決するための手段】
【０００４】
このため、本発明では、車両内装部材の表面に陥凹形成された略円形断面を有する陥凹部に、飲料容器の少なくとも下部を取り囲んで保持するホルダを回転可能に嵌合すると共に、陥凹部の内周壁に、エアコンディショナからの冷風又は温風を導入する導入口が形成されたカップホルダ装置において、ホルダの周壁の一部に、導入口と連通してエアコンディショナからの冷風又は温風を通過させる開口を形成したことを特徴とする。
【０００５】
このとき、飲料によりホルダが汚れる実情を考慮し、その清掃を容易にすべく、陥凹部に対してホルダを着脱可能に嵌合するとよい。また、ホルダの回転を容易にすべく、その上端につまみを取り付けるとよい。そして、エアコンディショナからの冷風又は温風の導入及び遮断操作を容易にすべく、車両内装部材の表面に、ホルダの開口が導入口に連通した位置でつまみと接触し、その回転を阻止する突起を形成するとよい。さらに、飲料容器の取り扱いを容易にすべく、運転席及び助手席に対面した車両内装部材としてのインストルメントパネルに、カップホルダ装置を設置するとよい。
【発明の効果】
【０００６】
本発明に係るカップホルダ装置によれば、飲料容器の少なくとも下部を取り囲んで保持するホルダを回転させることで、エアコンディショナからの冷風又は温風を導入する導入口を開閉することができる。即ち、ホルダを回転させてその開口と導入口とを連通させれば、エアコンディショナからの冷風又は温風がホルダ内部に導入されて、飲料容器を保冷又は保温することができる。一方、ホルダを回転させてその周壁で導入口を塞ぐようにすれば、エアコンディショナからの冷風又は温風がホルダ内部に導入されず、飲料容器を室温に保つことができる。このため、ホルダの回転という簡単な操作で、保冷又は保温機能を有効又は無効にすることができ、部品点数の削減によるコストダウン，重量軽減，小型化などを図ることができる。
【発明を実施するための最良の形態】
【０００７】
以下、添付された図面を参照して本発明を詳述する。
図１は、本発明に係るカップホルダ装置の全体構成を示す。
車両内装部材１０の表面に陥凹形成された略円形断面を有する陥凹部１２に、飲料容器１４の少なくとも下部を取り囲んで保持するホルダ１６を回転可能に嵌合すると共に、陥凹部１２の内周壁に、エアコンディショナからの冷風又は温風を導入する導入口１８を形成する。そして、ホルダ１６の周壁の一部に、導入口１８と連通してエアコンディショナからの冷風又は温風を通過させる、スリットなどの開口２０を形成する。なお、図中の符号２２は、エアコンディショナからの冷風又は温風を導入口１８へと導く空調ダクトである。
【０００８】
かかるカップホルダ装置によれば、飲料容器１４の少なくとも下部を取り囲んで保持するホルダ１６を回転させることで、エアコンディショナからの冷風又は温風を導入する導入口１８を開閉することができる。即ち、ホルダ１６を回転させてその開口２０と導入口１８とを連通させれば、エアコンディショナからの冷風又は温風がホルダ内部に導入されて、飲料容器１４を保冷又は保温することができる。一方、ホルダ１６を回転させてその周壁で導入口１８を塞ぐようにすれば、エアコンディショナからの冷風又は温風がホルダ内部に導入されず、飲料容器１４を室温に保つことができる。このため、ホルダ１６の回転という簡単な操作で、保冷又は保温機能を有効又は無効にすることができ、部品点数の削減によるコストダウン，重量軽減，小型化などを図ることができる。
【０００９】
このとき、陥凹部１２に対してホルダ１６を着脱可能に嵌合することが望ましい。即ち、カップホルダ装置においては、走行振動などにより飲料容器１４から飲料がこぼれ、これを保持するホルダ１６が汚れるという実情がある。このため、ホルダ１６を着脱可能に構成すれば、ホルダ１６が汚れたときにはこれを取り外し、例えば、水道水で汚れを洗い流すことで、その清掃を容易に行うことができる。
【００１０】
また、ホルダ１６の上端に、ホルダ１６を回転させるためのつまみ２４を取り付けることが望ましい。このようにすれば、つまみ２４を把持することで、ホルダ１６を容易に回転させることができる。
このとき、図２に示すように、車両内装部材１０の表面に、ホルダ１６の開口２０が導入口１８に連通した位置でつまみ２４と接触し、その回転を阻止する突起２６を形成することが望ましい。このようにすれば、同図（Ａ）に示すように、つまみ２４が突起２６に接触する位置までホルダ１６をＡ方向に回転させることで、ホルダ１６の開口２０と導入口１８とを連通させることができ、保冷又は保温機能を有効にすることができる。一方、保冷又は保温機能を無効にしたいときには、同図（Ｂ）に示すように、つまみ２４が突起２６から離間するＢ方向にホルダ１６を回転させることで、ホルダ１６の周壁で導入口を塞ぐことができる。従って、保冷又は保温機能の有効又は無効を容易に切り換えることができる。
【００１１】
ここで、車両内装部材１０としては、運転席又は助手席に対面した位置に配設されるインストルメントパネルとすることが望ましい。このようにすれば、カップホルダ装置が乗員に対面した位置に設置されることで、飲料容器の載置及び取り外しが容易となり、利便性を向上させることができる。なお、車両内装部材１０としては、インストルメントパネルに限らず、センターコンソール，ドアトリムボードなどを対象としてもよい。
【図面の簡単な説明】
【００１２】
【図１】本発明に係るカップホルダ装置の全体構成図
【図２】保冷又は保温機能の有効又は無効切換操作を示し、（Ａ）は機能を有効にしたときの説明図、（Ｂ）は機能を無効にしたときの説明図
【符号の説明】
【００１３】
１０  車両内装部材
１２  陥凹部
１４  飲料容器
１６  ホルダ
１８  導入口
２０  開口
２４  つまみ
２６突起
【図１】
2006176038.tif 000003
【図２】
2006176038.tif 000004